(57)【要約】【課題】段積みした状態でも下段の収納箱に正面側から物品の出し入れが可能で、不使用時にはコンパクトに折り畳める折り畳み式収納箱を提供する。【解決手段】上面、前面上部に開口を有する箱体とそれら開口を塞ぐ蓋体と底面板材で構成する。箱体は左右側壁が同一形状で平行配置、右側壁は上下辺が平行、右辺は垂直、左側辺は前面側に突出した「く」字状に形成し、箱体上面は開口、前面は「く」字状上部を斜め上方向き開口とする。底面は折り畳み可能シートで、４側面は芯板材を布材で覆って構成する。左右側壁の上下辺間に斜め折り畳み線を形成して内部芯板材を二分割しておく。斜め折り畳み線にて左右側壁を内側に折り曲げ、「く」字状の下部壁を背面壁の左右辺に一致させた状態に折り畳まれたときの左右側壁の折り目を斜め折り畳み線とする。【選択図】図２
2016137945.tif 000002
【特許請求の範囲】
【請求項１】
上面と前面上部に開口を有する箱体と、該箱体の前記二つの開口を塞ぐ蓋体と、箱体の内部底面上に載置する底面板材とからなる収納箱であって、
前記箱体は左右側壁が同一形状で、平行、且つ両者間中心を通る垂直面に対して左右対称に配置されており、右側壁は上下辺が平行、右辺は下辺に垂直、箱体前面側となる左辺は前面側に突出した「く」字状に形成されており、箱体底面は四角形で箱体上面は開口しており、箱体前面は「く」字状の上部が斜め上方に開口した形状に形成されており、
箱体底面は折り畳み可能なシートで形成され、箱体の左右側壁、背面壁、前面の「く」字状の下部壁は芯板材を布材で覆った材料で形成して各側壁の接合部で互いに屈曲可能とされており、
前記左右側壁には上辺、下辺間を結ぶ二つ折り可能な斜め折り畳み線が形成されて内部芯板材が前側芯板材、後側芯板材の二つに分割されており、その斜め折り畳み線は斜め折り畳み線にて左右側壁を箱体内側に向けて折りまげ、前記後側芯板材部分の側壁が箱体背面壁に重なる状態に折り畳んだときに前記前面「く」字状の下部壁がその左右辺を箱体背面壁の左右辺に一致させて重なった状態に折り畳まれるように形成してあることを特徴とする折り畳み式収納箱。
【請求項２】
請求項１に記載の折り畳み式収納箱において、該収納箱の前記二つの開口を塞ぐ蓋体は前記箱体上面の開口を塞ぐ上面蓋体と、前記箱体前面の斜め上方に向かう開口を開閉自在に塞ぐ前面蓋体とで構成され、
前記上面蓋体の前面側辺を除く３辺には箱体側壁外側を下方に延びる平面視コ状の垂延部が形成してあり、前面蓋体は箱体前面開口を塞ぐ大きさの矩形に形成されて上面蓋体の前面側辺に屈曲可能に接続してあり、
前記上面蓋体及び前面蓋体は、芯板材を布材で覆った材料で形成してあり、
前記前面蓋体は、斜め垂下方向幅の１／２幅部分に水平方向折り畳み線を形成して内部芯板材が上方側板材、下方側板材に２分割されており、下方側板材は水平方向折り畳み線にて折り畳むことにより上方側板材の内側表面に折り重ね可能に構成されていることを特徴とする折り畳み式収納箱。
【発明の詳細な説明】
【技術分野】
【０００１】
本考案は物品を収納する収納箱であって、積み重ねた状態でも下段の収納箱への物品の収納、取り出しが可能であり、不使用時には保管に便利なコンパクトな形に折り畳める折り畳み式収納箱に関する。
【背景技術】
【０００２】
各種小物を収納する収納箱の多くは、上方が開口した四角形の箱に開閉、又は取り外し可能な上蓋を取りつけた構成になっている。このような構成の収納箱では、２段、３段に積み上げて使用する場合、下段収納箱に物品を出し入れする際には上段収納箱を取り除いて作業する必要があり面倒である。この問題を解決するため、上蓋ではなく前面全体を傾動開閉できる構成の収納箱（特許文献１）も開示されている。しかし、このような構成では、前面蓋を開いたときに収納物が転がり落ちる心配がある。
【０００３】
この問題を解決するため図１３に示すような収納箱５０も考案され（特許文献２）、市販されている。この収納箱５０は物品を収納する箱本体部５１と蓋５２から構成されており、箱本体部５１が右側面から見ると左側（前面側）に「く」字状に突出した形状で上面が開口し、前面も「く」字状の上半分が斜め上方に向けて開口している。蓋５２は上面と前面上部開口を塞ぐもので、前面上部開口を塞ぐ前蓋部５２ａは上面蓋部５２ｂに回動可能に取りつけてある。この収納箱５０は上下方向に段積み可能で、段積み状態でも前蓋部５２ａを図１１の（２）に示すように上方に開くことにより下段の収納箱５０に物品の出し入れができる。しかし、この収納箱５０はプラスチックで製作されていて折り畳みできないため、不使用時の保管や商品としての収納箱５０の輸送に不便な問題がある。
【０００４】
この保管の問題を解決するため特許文献３には、全体形状が前記収納箱５０と殆ど同じ折り畳み式の収納ボックスが開示されている。この収納ボックスはプラスチックではなく中質繊維板製の芯板材を布材で覆った材料で構成されており、箱本体部の前面、背面の中央に縦垂直に伸びる折り目が形成されていて不使用時には左右側壁を重ねた状態に折り畳める点に特徴がある。
【先行技術文献】
【特許文献】
【０００５】
【特許文献１】特開２０１３−２０３４４６号公報
【特許文献２】実用新案登録第３１９３２２４号公報
【特許文献３】実用新案登録第３２００２６９号公報
【発明の開示】
【発明が解決しようとする課題】
【０００６】
本考案はこうした背景からなされたもので、段積みした状態でも下段の収納箱に正面側から物品の出し入れが可能で、不使用時や商品としての輸送時にはコンパクトに折り畳める折り畳み式収納箱を提供することにある。
【課題を解決するための手段】
【０００７】
前記課題を解決するための請求項１に記載の発明は、上面と前面上部に開口を有する箱体と、該箱体の前記二つの開口を塞ぐ蓋体と、箱体の内部底面上に載置する板材とからなる収納箱であって、箱体は左右側壁が平行、且つ左右対称な形状で、右側面視で底辺、上辺が平行、箱体背面と一致する右辺が底辺に垂直、箱体前面側となる辺が前面側に突出した「く」字状に形成され、箱体底面は四角形で箱体上面は開口しており、箱体前面は「く」字状の上部が斜め上方に開口した形状に形成されており、箱体底面は折り畳み可能なシートで形成され、箱体の左右側壁、背面壁、前面の「く」字状の下部壁は芯板材を布材で覆った材料で形成して各側壁の接合部で互いに屈曲可能とされており、左右側壁には上辺、下辺間を結ぶ二つ折り可能な斜め折り畳み線が形成されて内部芯板材が前側芯板材、後側芯板材の二つに分割されており、その斜め折り畳み線は斜め折り畳み線にて左右側壁を箱体内側に向けて折りまげ、後側芯板材部分の側壁が箱体背面壁に重なる状態に折り畳んだときに前面「く」字状の下部壁がその左右辺を箱体背面壁の左右辺に一致させて重なった状態に折り畳まれるように形成してあることを特徴とする折り畳み式収納箱である。
【０００８】
このような構成の折り畳み式収納箱は、箱体前面に斜め上方に向かう開口が形成されて開閉蓋が取りつけられているため、複数の収納箱を段積みして使用する場合でも下段の収納箱に自由に物品の出し入れを行なうことができる。また、不使用時には保管に便利なコンパクトな形に折り畳むことができる。
【０００９】
また、請求項２記載の発明は、請求項１に記載の折り畳み式収納箱において、該収納箱の二つの開口を塞ぐ蓋体は箱体上面の開口を塞ぐ上面蓋体と、箱体前面の斜め上方に向かう開口を開閉自在に塞ぐ前面蓋体とで構成され、上面蓋体の前面側辺を除く３辺には箱体側壁外側を下方に延びる平面視コ状の垂延部が形成してあり、前面蓋体は箱体前面開口を塞ぐ大きさの矩形に形成されて上面蓋体の前面側辺に屈曲可能に接続してあり、上面蓋体及び前面蓋体は、芯板材を布材で覆った材料で形成してあり、前面蓋体は、斜め垂下方向幅の１／２幅部分に水平方向折り畳み線を形成して内部芯板材が上方側板材、下方側板材に２分割されており、下方側板材は水平方向折り畳み線にて折り畳むことにより上方側板材の内側表面に折り重ね可能に構成されていることを特徴とする折り畳み式収納箱である。
【００１０】
このような構成の蓋部は折り畳むことができるため、不使用時には箱体の折り畳みとあわせて収納箱全体を保管や運搬に便利なコンパクトな形状にできる利点を有する。
【図面の簡単な説明】
【００１１】
【図１】本発明に係る折り畳み式収納箱１の外観斜視図である。
【図２】折り畳み式収納箱１の分解斜視図である。
【図３】折り畳み式収納箱１の右側面図である。
【図４】折り畳み式収納箱１の蓋を外した状態の右側面図である。
【図５】箱体２を折り畳んだ状態の平面図である。
【図６】箱体２を折り畳んだ状態の斜視図である。
【図７】前面蓋体３ｂを折り曲げて箱体前面開口を開いた状態の側面図である。
【図８】前面蓋体３ｂを折り曲げて箱体前面開口を開いた状態の別の側面図である。
【図９】前面蓋体３ｂを折り曲げて箱体前面開口を開いた状態の別の側面図である。
【図１０】段積みした下段側収納箱に物品を出し入れする場合の図である。
【図１１】蓋体３を折り畳んだ状態の斜視図である。
【図１２】前面蓋体が１枚板タイプの収納箱１ａの外観図である。
【図１３】従来の収納箱の例である。
【発明を実施するための形態】
【００１２】
以下、本発明に係る折り畳み式収納箱１の実施形態を図面を参照して説明する。図１は折り畳み式収納箱１の外観斜視図、図２はその分解斜視図、図３は右側面図、図４は蓋を外した状態の右側面図である。折り畳み式収納箱１は図２の分解斜視図に示すように物品の収納する箱体２、その開口を塞ぐ蓋体３、箱体２の内部底面上に載置する底面板材４から構成される。
【００１３】
箱体２の左側壁５、右側壁６は同一形状で、平行に配置され、両者間中心を通る垂直面に対して左右対称になっている。右側壁６は底辺と上辺が平行、箱体背面壁７と一致する右辺は底辺に垂直、箱体２の前面側となる辺は前面側に突出した「く」字状に形成されている。箱体上面は四角形で開口しており、箱体底面８も四角形、箱体前面側は「く」字状の上部が斜め上方に開口した形状に形成されている。
【００１４】
箱体底面８は折り畳み可能なシートで形成され、箱体２の左側壁５、右側壁６、背面壁７、前面の「く」字状の下部壁９は芯板材を布材で覆った材料で形成されている。芯板材としては中質繊維板（通称、ＭＤＦ）が使用してある。各壁は隣接する壁との間が芯板材を覆う布材により屈曲可能に接続されている。
【００１５】
左側壁５、右側壁６には、上辺、下辺間を結ぶ二つ折り可能な斜め折り畳み線１０が形成されている。この斜め折り畳み線１０を設けるために、左側壁５、右側壁６の芯板材は折り畳み線１０を境として前側芯板材６ａ、後側芯板材６ｂの二つに分割されている。その斜め折り畳み線１０は、斜め折り畳み線１０にて左右側壁５、６を箱体２内側に向けて折り曲げていき、後側芯板材６ｂ部分の側壁が箱体背面壁７に重なる状態に折り畳んだときに、前面「く」字状の下部壁９がその左右辺を箱体背面壁７の左右辺に一致させて重なった状態になるように形成してある。
【００１６】
図５はこのようにして左側壁５、右側壁６を各々２つ折りして箱体背面壁７に折り重ねた状態の平面図、図６はその状態の斜視図である。前面「く」字状の下部壁９の横幅は箱体背面壁７の横幅に等しいため、このように下部壁９の左右辺を箱体背面壁７の左右辺に一致させた状態に折り畳むことができる。この状態にしたときの左側壁５、右側壁６の二つ折り線を前記斜め折り畳み線１０としている。即ち、このように斜め折り畳み線１０を設けておけば、不使用時には箱体２を図５、図６に示すようなコンパクトな形に折り畳むことができる。
【００１７】
物品収納箱として使用する際には、箱体２の内部底面上には箱体２の形状を維持するための底面板材４を載置する。底面板材４も中質繊維板を布材で覆った材料で構成されている。
【００１８】
このような構造の箱体２の開口を塞ぐ蓋体３は、図２、図４に示すように上面開口を塞ぐ平面視、四角形の上面蓋体３ａと、箱体前面の斜め上方に向かう開口を開閉自在に塞ぐ前面蓋体３ｂとで構成されている。上面蓋体３ａの前面側辺を除く３辺には、箱体２の開口を塞いだときに箱体側壁外側を下方に延びる平面視コ状の垂延部１２が形成ざれている。前面蓋体３ｂは箱体前面開口を塞ぐ大きさの矩形に形成され、上面蓋体３ａの前面側辺に屈曲可能に取り付けてある。
【００１９】
上面蓋体３ａ、前面蓋体３ｂは、芯板材を布材で覆った材料で形成してある。前面蓋体３ｂは、斜め垂下方向幅の１／２幅部分に水平方向折り畳み線１４が形成してあり、それを境として内部芯板材が上方側板材１３ａと下方側板材１３ｂに２分割されている。下方側板材１３ｂは水平方向折り畳み線１４にて折り畳むことにより上方側板材１３ａの内側表面に折り重ね可能に構成されている。
【００２０】
図７、図８、図９は、箱体前面開口を開く前面蓋体３ｂの使用形態を示したものである。図７は、前面蓋体３ｂの全体を上面蓋体３ａの上面に重ねるように折り曲げて箱体前面開口を開いた状態を示している。図８は、前面蓋体３ｂの下方側板材１３ｂを水平方向折り畳み線１４にて折り曲げて上方側板材１３ａの内側表面に折り重ね、折り重ねた前面蓋体３ｂ全体を上面蓋体３ａの上面に重ねるように折り曲げて箱体前面開口を開いた状態を示している。
【００２１】
この図７、図８の開き方は、段積みした箱体の最上段の箱体にしか採用できない。これに対して図９は、最上段ではない下段の箱体に適用できる開き方である。図９では、前面蓋体３ｂの下方側板材１３ｂを水平方向折り畳み線１４にて上方側板材１３ａの内側に折り曲げるが、完全に上方側板材１３ａに重なるまでは折り曲げず、両者が小さい角度で開いた状態に折り曲げる。そして、その状態の下方側板材１３ｂの先端を箱体２の左側壁５、右側壁６の「く」字状辺部に載せた状態で係止させる。このためには、前面蓋体３ｂの横幅は箱体２の横幅よりも僅かに大きく形成しておく必要がある。
【００２２】
図９に示すような状態にすると、僅かに開いた状態の上方側板材１３ａ、下方側板材１３ｂは、自重により上面蓋体３ａとの接続部を中心として開口側に回転しようとする。その回転力は下方側板材１３ｂの先端に当接している左側壁５、右側壁６の「く」字状辺部で受け止められる。下方側板材１３ｂが左右側壁５、６の「く」字状辺部にほぼ直角に当接するように上方側板材１３ａ、下方側板材１３ｂの開き角度を加減すれば、前記回転力により下方側板材１３ｂの先端から左右側壁５、６の「く」字状辺部に加わる力は「く」字状辺に直角になる。この力の方向が直角であれば、下方側板材１３ｂ先端には、その先端を下方、又は上方側に移動させる滑り力は働かず、下方側板材１３ｂはその状態で静止し、箱体２の上方に向けた開口は開いた状態が維持される。
【００２３】
下方側板材１３ｂが「く」字状辺部に直角でない角度で当接している場合には、下方側板材１３ｂ先端には下方、又は上方側に向けて移動させようとする滑り力が働く。しかし、下方側板材１３ｂ、左右側壁５、６はいずれも表面が布材で覆われている。そのため、それらの間の摩擦係数が大きいため少し位の滑り力が働いた位では下方側板材１３ｂ先端は移動せず、箱体２の上方に向けた開口は開いた状態が維持される。摩擦によらずにこの移動を制止するには、下方側板材１３ｂが当接する左右側壁５、６の端部に係止させるための凹部を設けるとよい。
【００２４】
この蓋体３は、前面蓋体３ｂを図９に示したように上面蓋体３ａの上に折り重ねることなく箱体前面開口を開くことができる。従って、図１０に示すように収納箱１を上下方向に複数個段積みして使用する場合でも、上段側収納箱を取り外すことなく下段側収納箱の前面開口を開けて下段側収納箱に物品の出し入れを行なうことができる利点を有する。
【００２５】
この蓋体３も不使用時には図１１に示すように前面蓋体３ｂは上面蓋体３ａに折り重ね、上面蓋体３ａの３辺に設けられた垂延部１２は蓋体３の内面側に折り畳む。垂延部１２がそのように折り畳めるように、左右の垂延部１２内の芯板材の背面側端部は、上側端部から４５度の傾きで引いた線の外側部分が切り欠いてある。更に、折り畳みを容易にするため背面側の垂延部１２の左右端部も上側端部から４５度の傾きで引いた線の外側部分が切り欠いてある。
【００２６】
以上説明した本実施形態の折り畳み式収納箱は収納箱前面に斜め上方に向けた開口が形成され、その部分に開閉蓋が取りつけられているため、複数の収納箱を段積みして使用する場合でも下段の収納箱に自由に物品の出し入れを行なうことができる利点を有する。また、不使用時には箱本体部は図５、図６に示すように、蓋部は図１１に示すように折り畳み、それの上に底面板材４を重ねることにより全体を保管や運搬に便利なコンパクトな形状にできる利点を有する。
【００２７】
（変形実施形態）
前記実施形態の折り畳み式収納箱１の前面蓋体３ｂには、図１、図２、図８、図９に示したように斜め垂下方向幅の１／２幅部分に水平方向折り畳み線１４を形成して二つ折り可能の構成を採用した。これに対し、前面蓋体３ｂは折り畳み線を設けずに分割なしの１枚の芯板材を布材で覆った構成としてもよい。図１１はそのような構成の折り畳み式収納箱１ａの外観図である。このような構成の前面蓋体３ｃを採用した場合には、前面蓋体３ｃを図７と同じように上面蓋体３ａの上に折り畳むか、手で前面蓋体３ｃを持ち上げた状態で箱体２に物品の出し入れを行なう。
【符号の説明】
【００２８】
図面中、１は折り畳み式収納箱、２は箱体、３は蓋体、３ａは上面蓋体、３ｂは前面蓋体、４は底面板材、５は左側壁、６は右側壁、６ａは前側芯板材部分側壁、６ｂは後側芯板材部分側壁、８は箱体底面、７は背面壁、１０は斜め折り畳み線、１２は垂延部、１３ａは上方側板材、１３ｂは下方側板材、１４は水平方向折り畳み線を示す。
【図１】
2016137945.tif 000003
【図２】
2016137945.tif 000004
【図３】
2016137945.tif 000005
【図４】
2016137945.tif 000006
【図５】
2016137945.tif 000007
【図６】
2016137945.tif 000008
【図７】
2016137945.tif 000009
【図８】
2016137945.tif 000010
【図９】
2016137945.tif 000011
【図１０】
2016137945.tif 000012
【図１１】
2016137945.tif 000013
【図１２】
2016137945.tif 000014
【図１３】
2016137945.tif 000015